(57)【要約】      （修正有）【課題】比較的長く持ち歩いて見られ、団扇として使用したり、或いは写真を見ることによって、宣伝効果を向上させる。【解決手段】弾力性のある薄板の一側に指通し孔を設け、少なくとも表面又は裏面に、写真、イラストなどの図形又は広告文を大小様々の文字で宣伝及び広告を記載し、少なくとも表面又は裏面は一色以上の彩色としたことを特徴とする。【選択図】図１
0003116929.tif 000002
【実用新案登録請求の範囲】
【請求項１】
弾力性のある薄板の一側に指通し孔を設け、少なくとも表面又は裏面に、写真、イラストなどの図形又は広告文を大小様々の文字で宣伝及び広告を記載し、少なくとも表面又は裏面は一色以上の彩色としたことを特徴とする選挙用広告板。
【請求項２】
弾力性のある薄板の一側に指通し孔を設け、表面及び裏面に、写真、イラストなどの図形又は広告文を大小様々の文字で宣伝及び広告を記載し、表面及び裏面は一色以上の彩色としたことを特徴とする選挙用広告板。
【請求項３】
薄板の外形を、円形、楕円形、円形の一部に握り部を突出した逆水滴形状又は、少なくとも一部を人の頭部形に型取ったことを特徴とする請求項１又は２記載の選挙用広告板。
【請求項４】
写真の少なくとも１つは、候補者の写真としたことを特徴とする請求項１又は２記載の選挙用広告板。
【請求項５】
広告文は、政策、モットー又は候補者の特定の主張としたことを特徴とする請求項１又は２記載の選挙用広告板。
【考案の詳細な説明】
【技術分野】
【０００１】
この考案は、選挙の際、不特定多数の人に頒布し、候補者への投票を促すことを目的とした選挙用広告板に関する。
【背景技術】
【０００２】
従来総選挙などにおいて、主張を記載した候補者の写真、重点政策を大書した政党人の写真、又はチラシなどの宣伝、広告文が展示又は頒布されている。
【０００３】
この場合に各種表示形態は規定に基づき制約を受けるのは当然としても、展示用は兎も角、頒布用は一般商品のチラシと大差なく、十分の効力（記憶に残る効力）なく、捨てられている。
【０００４】
またスポーツ観戦に際し、団扇に「必勝」などと大書し、頒布される場合の広告もある。
【特許文献１】実公昭５４−２２１９
【特許文献２】特開２００５−９５２５３
【考案の開示】
【考案が解決しようとする課題】
【０００５】
従来選挙に際しては、規定された大きさ内容のポスターと、モットー、主張などを印刷した紙片（パンフレットその他）が頒布されているが、ポスターは、一定位置に貼着表示されるので、その付近を通過しなければ、有効な宣伝力はない。また、パンフレットその他は、印刷文字部分が多く、読まれないのみならず、すぐ捨てられるので、有効性が極めて低いとされている。
【０００６】
またスポーツなどで配られる団扇は、「必勝」と書かれたり、球団名が書かれているのみで、選挙などの参考資料にはならない。
【課題を解決するための手段】
【０００７】
この考案は、弾力のある薄板の一側に指通し孔を設け、前記薄板の表裏面に、写真、モットー、主張その他を印刷することにより、比較的長く持ち歩いて見られ、団扇として使用したり、或いは写真を見ることによって、宣伝効果を向上することに成功し、前記従来の問題点を解決したのである。
【０００８】
即ちこの考案によれば、弾力性のある薄板の一側に指通し孔を設け、少なくとも表面又は裏面に、写真、イラストなどの図形又は広告文を大小様々の文字で宣伝及び広告を記載し、少なくとも表面又は裏面は一色以上の彩色としたことを特徴とする選挙用広告板であり、弾力性のある薄板の一側に指通し孔を設け、表面及び裏面に、写真、イラストなどの図形又は広告文を大小様々の文字で宣伝及び広告を記載し、表面及び裏面は一色以上の彩色としたことを特徴とする選挙用広告板である。
【０００９】
また、薄板の外形を、円形、楕円形、円形の一部に握り部を突出した逆水滴形状又は、少なくとも一部を人の頭部形に型取ったものであり、写真の少なくとも１つは、候補者の写真としたものであり、広告文は、政策、モットー又は候補者の特定の主張としたものである（前記は地色を一色と考えない場合）。
【００１０】
この考案において、薄板は、例えばボール紙、プラスチック薄板などで、団扇としても、風が送れる程度の弾性を有するが、材質・厚さについて特に制限はない。通常の厚さは０．１〜１．０ｍｍである。要するに、指孔に指を入れて持った時に、折り曲がらない程度の厚さ（強度）があればこの考案の薄板として十分目的を達することができる。
【００１１】
この考案における写真は、例えば候補者の顔写真、全身写真、支援者（推薦者）の写真、党首の写真などが考えられる。また地方選挙の場合には、マスコット又はその他のイラストがある。
【００１２】
文字については、大小、字体など適宜選定するが、小文字で多量の文章を書くのは好ましくない場合が多い。例えばモットー・主張の主要事項などを簡潔に大きく記載する。
【００１３】
この考案における薄板の外形は、特に限定はないが、持って、歩いて、ファッション化される形状が好ましい。例えば、円形、逆水滴形、楕円形、ハート形、六角〜八角形などが普通である。
【００１４】
この考案の表裏面に用いる色彩は、目立ち易く、一般に二色以上が好まれる。多色にすると、単価が上昇するので、白地を一色（地色）と考えて、二〜四色が普通である。
【００１５】
写真とモットー、主張、その他の配置などは、効果を左右するので、色彩、形状、文字の大きさ、字数などと共に、デザイン感覚で選定する必要がある。
【考案の効果】
【００１６】
この考案は、指通し孔を設けたので、持ち易く、写真、イラストを記載すれば、印象が強く、モットー、主張などにインパクトがあれば、選挙民に覚えられ易く、候補者の印象を良好にする効果がある。
【００１７】
また持ち歩く時間が比較的長くなるので、宣伝効果、記憶効果の向上を図る効果がある。
【００１８】
更に暑い日には、団扇ともなり、一層捨て難く、広告の持続時間を大幅に長くする効果もある。
【考案を実施するための最良の形態】
【００１９】
この考案は、ボール紙を逆水滴状に成形し、下部に指通し孔を設け、表面中央部に候補者の顔写真を大きく配し、左側に氏名、右側にモットーを記載し、上部に選挙区名、下部に所属政党を記載する。
【００２０】
次に裏面に支援者写真、党首とのアピール写真、上部に党主張の文字を記載し、下部に所属政党を記載する。
【００２１】
色彩について、例えば女性の場合は赤を主とし、これに緑を配する。文字については、赤地に白抜き、黒、緑、赤を夫々使い分けて文字の配置を決め、この考案の広告板を構成した。
【実施例１】
【００２２】
この考案の実施例を図１、２について説明すると、ボール紙１を水滴状に成形し、これを逆水滴状に用い、一面（表側）中央に候補者の写真２を大きく配し、左側に候補者の氏名３を大きく記載し、右側に緑色文字でモットー４、主張４ａを縦書する。下部の緑色三角部５に、所属政党６を記載し、イラスト７、ホームページ記号８を記載し、前記三角部５の上部へ偏心して指通し孔９を穿設し、その右側へ選挙区１０を白地に赤字で記載する。前記外形に相似形に赤地縁取り１１とし、その地色内へ投票呼掛け文字１２を記載する。
【００２３】
前記ボール紙１の他面（裏面）に（図２）、上部に支援依頼文字１３、１３ａ、支援者の顔写真１４ａ、１４ｂ、１４ｃ、１４ｄを配し、更に党首との写真１５、選挙の主張１６、アピール文字１７、所属政党６、イラスト７、連絡先住所など１８とし、中央部１９の地色と、周縁部２０の地色を変え、主張を白抜き文字２１とする。図中２２は支援者氏名、２３は党首名であって、この考案の広告板２５を構成した。
【００２４】
前記実施例によれば、候補者の宣伝として有効であることは勿論、持って歩いても、格別邪魔になることなく、比較的長時間に亘り広告効果を発揮することができる。特に、夏季又は暑い日には、団扇として使用できる効果もあり、町で配った広告板が自宅まで運ばれることも希ではないので、通常使用されるチラシなどの広告に比し、数倍以上の効果を奏する。
【００２５】
また色彩に工夫を加え（例えば緑化を主張するならば、緑色を基調にする）、文字、写真と共に総合的効果を期待することができる。
【実施例２】
【００２６】
この考案の実施例を図３、４について説明すると、候補者の顔写真２を特にアピールする為に、その髪型２４に合せてボール紙１の外形を決め、指通し孔９を設け、表裏面に候補者の顔写真２を大きく表示し、これに氏名３、モットー４、選挙区１０、政党名６、イラスト７などを記載し、この考案の広告板２５を構成した。図中１３は支援関係を示す文字、２６は住所である。
【００２７】
前記実施例は、実施例１と同様に適宜の色彩を彩色するが、外形が候補者を示す点で広告効果がある。また指通し孔９を設けて、携帯容易とし、この広告板を少しでも長く持ち歩いて貰う点で同様の効果が期待できる。
【実施例３】
【００２８】
この考案の他の実施例（例えば地方選挙）を図５、６について説明する。
【００２９】
選挙によっては、写真の掲載制限があるが、このような時にはイラスト、色彩その他の配置、外形などの組合せに工夫をする。この実施例においては、外形と、指通し孔９以外は独創的組合せを用いる。
【００３０】
ボール紙１を水滴状（逆水滴状に使用）に切抜き、内部２７と、周辺２８と、下部２９の色彩を変える（例えば３色、地色白で合計４色）。
【００３１】
下記に指通し孔９を穿設し、その下部に政党その他の団体名６、中央部へイラスト３５、左右へモットー４又は主張４ａ、候補者の氏名３、外周部へ投票呼びかけ文字１２を記載して、この考案の広告板３０を構成した。
【００３２】
この実施例も、実施例１、２と同様の作用効果があるが、写真がなく、イラスト３５であるから、広告効果を向上する為に、色彩、文字などに一層の創意工夫を要する。
【００３３】
図６の実施例は、広告板の外形の一例を示すもので、円形３１、楕円形３２、多角形３３、ハート形３４などを示し、何れも指通し孔９を有するが、他の形状を排除するものではない。
【図面の簡単な説明】
【００３４】
【図１】（ａ）この考案の実施例の表面図、（ｂ）同じく（ａ）中Ａ−Ａ断面拡大図。
【図２】同じく裏面図。
【図３】同じ他の実施例の表面図。
【図４】同じ裏面図。
【図５】同じく他の実施例の表面図。
【図６】同じく広告板の外形例を示す実施例で、（ａ）円形、（ｂ）楕円形、（ｃ）多角形、（ｄ）ハート形。
【符号の説明】
【００３５】
１  ボール紙
２  写真
３  氏名
４  モットー
５  三角部
６  政党
７  イラスト
８  ホームページ記号
９  指通し孔
１０  選挙区
１１  縁取り
１２、１３  文字
１４  顔写真
１５  関係写真
１６  主張
１７  アピール文字
１８  住所
１９  中央部
【図１】
0003116929.tif 000003
【図２】
0003116929.tif 000004
【図３】
0003116929.tif 000005
【図４】
0003116929.tif 000006
【図５】
0003116929.tif 000007
【図６】
0003116929.tif 000008